(57)【要約】【課題】大掛かりな構成を用いず、レンズ鏡筒内に結露が発生することを防止すること。【解決手段】光が通過するための入射端面と出射端面とを有し、入射端面から出射端面の間に少なくとも１つのレンズ３４を具備するレンズ鏡筒１０において、少なくとも一端側がレンズ３４によって塞がれた空間部３０と、空間部３０内の空気を排出し、負圧とする排出手段２２と、を具備させること。【選択図】  図１
2005257991.tif 000002
【特許請求の範囲】
【請求項１】
光が通過するための入射端面と出射端面とを有し、上記入射端面から上記出射端面の間に少なくとも１つのレンズを具備するレンズ鏡筒において、
少なくとも一端側がレンズによって塞がれた空間部と、
上記空間部内の空気を排出し、負圧とする排出手段と、
を具備することを特徴とするレンズ鏡筒。
【請求項２】
前記入射端面側に第１のレンズを、前記出射端面側に第２のレンズをそれぞれ配置し、上記第１のレンズと上記第２のレンズが、それぞれその外周に配置されるシーリング部材によって鏡筒の内周面に気密に取り付けられていることを特徴とする請求項１記載のレンズ鏡筒。
【請求項３】
前記鏡筒の内周面と、前記レンズの外周面とに互いに螺合するネジ部を形成し、前記鏡筒の内周面又は前記レンズの外周面の少なくとも一方の上記ネジ部を弾性材で被覆し、前記レンズを前記鏡筒に螺合することを特徴とする請求項１記載のレンズ鏡筒。
【請求項４】
前記排出手段に接続される吸気装置により、前記空間部内の圧力を負圧とする一方、前記排出手段に設けられた栓体が、前記排出手段と連通するように設けられた孔部を塞ぐことで、前記空間部内が負圧の状態で封止されることを特徴とする請求項１記載のレンズ鏡筒。
【請求項５】
前記空間部の内部に、空間内レンズを配置し、その空間内レンズの外周部近傍に、上記空間内レンズの配置によって当該空間内レンズの前後に区分された小空間部が互いに繋がる空隙部を設けたことを特徴とする請求項１から４のいずれか１項に記載されたレンズ鏡筒。
【請求項６】
前記空間部の内部に円輪状の中間環を配置し、当該中間環には、その中間環によって前後に区分された空間を繋ぐ第２の空隙部を形成し、さらに上記中間環には、その第２の空隙部と上記中間環の中央に設けられた環内部とを繋ぐ貫通孔が形成されていることを特徴とする請求項５項記載のレンズ鏡筒。
【請求項７】
前記中間環を、前記空間部内に配置された２つのレンズによって又はレンズと前記鏡筒内に配置された光学素子によって狭持されるように配置したことを特徴とする請求項６記載のレンズ鏡筒。
【発明の詳細な説明】
【技術分野】
【０００１】
本発明は、光学機器等に用いられるレンズ鏡筒に関する。
【背景技術】
【０００２】
一般的に、レンズ鏡筒は、円筒状の鏡筒と２つ以上の円板状の光学素子から構成されている。このようなレンズ鏡筒において、鏡筒と光学素子とで囲まれた空間は密閉状態になっているが、この空間が密閉状態となっていると、レンズ鏡筒の使用環境温度が低下した場合、この空間内に含まれる水分が飽和状態となり、鏡筒内部に結露が発生し光学性能に影響を及ぼすことがある。
【０００３】
この問題を解決するものとして、光学ユニットの組み立てを真空減圧下で行う手段を採用しているものが特許文献１に示されている。特許文献１記載の組み立て方法では、２つの光学素子を真空減圧下で接着させ、光学素子間を真空状態とすることで、光学素子間の結露の発生を防止している。
【０００４】
【特許文献１】特開２００３−７５６９８号公報（図１〜図５）
【発明の開示】
【発明が解決しようとする課題】
【０００５】
上述の特許文献１記載の組み立て方法では、真空減圧下で光学素子を組み立てることにより、光学素子間での結露の発生を防止している。しかし、上述の手段を採用する場合、真空減圧状態の作業場という大掛かりな設備を作る必要があり、設備投資に費用がかかり、コストの増加を招くこととなる。
【０００６】
本発明は上記の事情にもとづきなされたもので、その目的とするところは、大掛かりな設備を必要とせず、レンズ鏡筒の内部に結露が発生することを防止することができるレンズ鏡筒を提供しよう、とするものである。
【課題を解決するための手段】
【０００７】
上記課題を解決するために、本発明は、光が通過するための入射端面と出射端面とを有し、入射端面から出射端面の間に少なくとも１つのレンズを具備するレンズ鏡筒において、少なくとも一端側がレンズによって塞がれた空間部と、空間部内の空気を排出し、負圧とする排出手段と、を具備するものである。
【０００８】
このように構成した場合には、レンズを鏡筒内に組み込んでレンズ鏡筒が形成された状態で排出手段から空気を吸気装置で抜き取り、空間部内を真空または真空に近い負圧の状態とすることができる。よって、レンズ鏡筒の使用環境温度が低下した場合でも、空間部内に含まれる水分が飽和状態とならず、レンズ鏡筒の内部に結露が発生するのを防止することができる。しかも、レンズ鏡筒を組み立てた後に排出手段を利用して空間部を負圧とすることができるので、大掛かりな設備を必要としない。
【０００９】
また、他の発明は、上述の発明に加えて更に、入射端面側に第１のレンズを、出射端面側に第２のレンズをそれぞれ配置し、第１のレンズと第２のレンズが、それぞれその外周に配置されるシーリング部材によって鏡筒の内周面に気密に取り付けられている。
【００１０】
このように構成した場合には、両端側にレンズを配置することにより、入射光を集光させること等が可能となり、顕微鏡や内視鏡などの高精度が要求される機器にも適用することが可能となる。また、両端のレンズがシーリング部材によって取り付けられているため、空間内部が密閉した状態となっている。よって、排出手段から空気を吸気装置で抜き取ると、空間部内を長期に渡って真空または真空に近い負圧の状態とすることができる。
【００１１】
さらに、他の発明は、上述の各発明に加えて更に、鏡筒の内周面と、レンズの外周面とに互いに螺合するネジ部を形成し、鏡筒の内周面又はレンズの外周面の少なくとも一方のネジ部を弾性材で被覆し、レンズを鏡筒に螺合したものである。
【００１２】
このように構成した場合には、鏡筒の内周面とレンズの外周面とに形成されたネジ部の螺合により、レンズが鏡筒内に固定されると共に、弾性材が、鏡筒の内周面とレンズの外周面との間に狭持されるため、レンズが鏡筒内に密着して取り付けられていることとなり、空間部の密閉性が高くなる。
【００１３】
さらに、他の発明は、上述の発明に加えて更に、排出手段に接続される吸気装置により、空間部内の圧力を負圧とする一方、排出手段に設けられた栓体が、排出手段と連通するように設けられた孔部を塞ぐことで、空間部内が負圧の状態で封止されるものである。
【００１４】
このように構成した場合には、空間部内の圧力が負圧となった状態で、排出手段に設けられた栓体が孔部を塞ぐため、簡単な機構によって空間部内が負圧の状態で封止されることとなる。よって、コストを上昇させずに空間部内を負圧の状態に維持することができる。
【００１５】
また、他の発明は、上述の各発明に加えて更に、空間部の内部に、空間内レンズを配置し、空間内レンズの外周部近傍に、空間内レンズの配置によって当該空間内レンズの前後に区分された小空間部が互いに繋がる空隙部を設けている。
【００１６】
このように構成した場合には、空間部が空間内レンズによって区分されていても、区分された小空間部が空隙部によって、排出手段と連通することとなり、排出手段から空間内レンズによって区分された小空間部の空気を排出することができる。
【００１７】
さらに、他の発明は、上述の各発明に加えて更に、空間部の内部に円輪状の中間環を配置し、当該中間環には、その中間環によって前後に区分された空間を繋ぐ第２の空隙部を形成し、さらに中間環には、その第２の空隙部と中間環の中央に設けられた環内部とを繋ぐ貫通孔が形成されている。
【００１８】
このように構成した場合には、中間環は、鏡筒の内周面に対して第２の空隙部を形成し、中間環には、その中央には環内部となる挿通穴が形成されており、また、第２の空隙部と環内部とを繋ぐ貫通孔も形成されているので、空間部が中間環によって区分されていても、区分された小空間部や環内部が第２の空隙部と貫通孔によって、排出手段と連通することとなり、中間環が設置されていてもすべての内部空間が負圧とされる。
【００１９】
さらに、他の発明は、中間環を、空間部内に配置された２つのレンズによって又はレンズと鏡筒内に配置された光学素子によって狭持されるように配置したものである。
【００２０】
このように構成した場合には、中間環は２つのレンズ又はレンズと光学素子によって狭持される。このように中間環を配置することによって中間環の両側に配置された、レンズ又は光学素子の位置決めが可能となる。また、中間環の環内部とレンズ又は光学素子によって形成された空間部が貫通孔および第２の空隙部によって、排出手段と連通することとなり、レンズ又は光学素子に結露が付着するのを防止できる。
【発明の効果】
【００２１】
本発明によると、大掛かりな設備を用いることなくレンズ鏡筒内の空間を負圧の状態とすることができる。このため、空間内に結露が発生することを低コストにて防止できる。
【発明を実施するための最良の形態】
【００２２】
以下、本発明の第１の実施の形態に係るレンズ鏡筒について、図１および図２に基づいて説明する。図１はレンズ鏡筒１０の側断面図である。図２はレンズを鏡筒１２に螺合する形で取り付けた場合のレンズ付近の側断面図である。なお、以下の説明においては、入射端面側とは、図１において左側を指す。また、出射端面側とは、図１において右側を指す。
【００２３】
レンズ鏡筒１０は、図１に示すように、主に、円筒状の鏡筒１２、排出手段２２、凹凸レンズとなる第１のレンズ３４、凹凸レンズとなる第２のレンズ３６、から構成されている。
【００２４】
鏡筒１２は、両端が開口している円筒状の筒状部材であり、入射端面側に大円形の開口部１４、出射端面側に小円形の開口部１６を形成している。開口部１４は鏡筒１２の内径Ｄと同径になっており、開口部１６は内径Ｄに比べて小径となっている。出射端においては、鏡筒１２の座部となる側面１８が開口部１６を囲むように形成されている。また、入射端面側においては、鏡筒１２の内周の全周に亘って鏡筒１２の中心軸線Ｌの方向に向かって突出しているドーナツ状の突出部２０が形成されている。
【００２５】
図１において鏡筒１２の中央部上方には、排出手段２２が設けられている。図１において、排出手段２２は、角状の筒状部材２４が鏡筒１２の中央部において上方に向かって突出するように形成されている。筒状部材２４には断面形状が角形の孔部２６が鏡筒１２の内部の空間部３０と連通するように形成されている。また、図１において筒状部材２４の左側の側面にはバルブネジ３２が螺入されており、バルブネジ３２を締めることによって、孔部２６が塞がれることとなる。
【００２６】
鏡筒１２の入射端面側の開口部１４には、第１のレンズ３４が嵌合され、第１のレンズ３４の全周に亘って鏡筒１２の内周面と接着剤で密着固定することによりシーリングされている。また、第１のレンズ３４は突出部２０によって係止された状態となっている。また、出射端面側の開口部１６には第２のレンズ３６が嵌合されており、第１のレンズ３４と同様に、第２のレンズ３６の全周に亘って側面１８と接着剤で密着固定されている。
【００２７】
鏡筒１２には入射端面側と出射端面側にそれぞれ第１のレンズ３４と第２のレンズ３６が、鏡筒１２の内周面と密着した状態で嵌合されているので、排出手段２２に設けられたバルブネジ３２を締めることにより、鏡筒１２の内部の空間部３０は密閉された状態となる。
【００２８】
また、排出手段２２は、鏡筒１２の内部の空間部３０の空気を抜き取るための真空ポンプなどの吸気装置（図示省略）を接続するために設けられている。排出手段２２と吸気装置とは、排出手段２２に設けられた孔部２６に吸気装置に接続されているチューブ等を取り付けることで接続される。そして、バルブネジ３２を開けた状態で吸気装置により排出手段２２から空間部３０の空気を抜き取ることで、空間部３０を真空等の負圧の状態とすることができる。また、空間部３０を負圧の状態とした後、バルブネジ３２を締めることで空間部３０を負圧の状態で封止することができる。
【００２９】
また、レンズ鏡筒１０において、第１のレンズ３４の鏡筒１２への取り付けは、図２に示すように、鏡筒１２の内周面と、第１のレンズ３４の外周面とに互いに螺合するネジ部３７ａ、３７ｂを形成し、鏡筒１２の内周面又は第１のレンズ３４の外周面のネジ部３７ａ、３７ｂの少なくとも一方を全周に亘ってゴム等の弾性材３８で被覆し、第１のレンズ３４を鏡筒１２に螺合する形を採用すると、空間部３０の気密性をより高くできる。なお、図２に示す構成は、第２のレンズ３６と鏡筒１２との間でも採用することができる。
【００３０】
また、レンズ鏡筒１０の空間部３０の気圧をＰとすると、気圧Ｐの許容範囲は０．１Ｐａ≦Ｐ≦０．９Ｐａであるが、気圧Ｐはより小さいほうが好ましい。しかし、気圧Ｐは真空ポンプ等の吸気装置の性能に左右されるため、性能の良い吸気装置を用いれば、気圧Ｐを０．１Ｐａ以下とすることが可能である。しかし、作業効率と結露防止とコストの面から考えて、本実施の形態において、気圧Ｐは０．３Ｐａ≦Ｐ≦０．５Ｐａとしている。なお、この気圧Ｐについては、他の実施の形態でも同様な条件としている。
【００３１】
以上のように構成されたレンズ鏡筒１０では、鏡筒１２が排出手段２２を有しているため、排出手段２２から空気を吸気装置で抜き取り、空間部３０内を真空または真空に近い負圧の状態とすることができる。よって、レンズ鏡筒１０の使用環境温度が低下した場合でも、空間部３０内に含まれる水分が飽和状態とならず、レンズ鏡筒１０の内部に結露が発生するのを防止することができる。このレンズ鏡筒１０は、製造段階で空間部３０内を負圧とすることが好ましいが、製造段階では負圧としない方法も採用し得る。例えばこのレンズ鏡筒１０を組み込んだ光学機器を購入した者がその光学機器を低温下で使用したいときは、吸気装置を排出手段２２に取り付け、空間部３０を負圧の状態にした後、低温下で使用するようにすれば、低温下での結露発生を防止できることとなる。
【００３２】
また、レンズ鏡筒１０では、空間部３０は接着剤や弾性材３８によるシーリングによって第１のレンズ３４と第２のレンズ３６が鏡筒１２の内部に取り付けられることにより密閉された状態となっているので、吸気装置で排出手段２２から空間部３０の空気を抜き取り、バルブネジ３２を締めることで空間部３０を負圧の状態で封止できることとなる。よって、空間部３０が真空等の負圧の状態で維持できるので、レンズ鏡筒１０の使用環境が変化しても、レンズ鏡筒１０の内部に結露が発生することを防止することができる。
【００３３】
また、レンズ鏡筒１０では、空間部３０の空気が排出されると、空間部３０の気圧は負圧となるため、第１のレンズ３４は外気圧により出射端面側である突出部２０の方向に付勢され、突出部２０により強固に係止されることとなる。また、バルブネジ３２を開ければ、空間部３０の気圧は大気圧となり第１のレンズ３４の取り外し作業は容易となる。
【００３４】
また、鏡筒１２の内周面と、第１のレンズ３４の外周面とに互いに螺合するネジ部３７ａ、３７ｂを形成し、鏡筒の１２内周面に形成されたネジ部３７ａ又は第１のレンズ３４の外周面に形成されたネジ部３７ｂの少なくとも一方を全周に亘ってゴム等の弾性材３８で被覆し、両者を螺合すれば、第１のレンズ３４が鏡筒１２の内部に、より強固に固定される。また、上述の構成を採用すると、弾性材３８が、鏡筒１２の内周面と第１のレンズ３４の外周面との間に強く狭持されるため、第１のレンズ３４が鏡筒１２の内周面に密着して取り付けられていることとなり、空間部３０の密閉性がより高くなる。なお、第２のレンズ３６と側面１８との間に同様のネジ螺合構造を採用すると、同様の効果が発生する。
【００３５】
次に、本発明の第２の実施の形態に係るレンズ鏡筒４０について、図３および図４に基づいて説明する。図３はレンズ鏡筒４０の側断面図である。また、図４は、レンズ鏡筒４０の断面図であり、（ａ）は図３のＡ−Ａ線で切断した断面図であり、（ｂ）は図３のＢ−Ｂ線で切断した断面図である。なお、以下の説明においては、入射端面側とは、図３において左側を指す。また、出射端面側とは、図３において右側を指す。また、第１の実施の形態と同一の部材、同一の部分には同一の符号を付すと共にその説明を省略または簡略化する。
【００３６】
レンズ鏡筒４０は、図３に示すように、主に、排出手段２２、円筒状の鏡筒４２、円板状の平凸レンズである第１のレンズ３４、円柱状の両凸レンズである第２のレンズ３６、円柱状の凹凸レンズである空間内レンズ６４、ドーナツ状の中間環６７から構成されている。
【００３７】
鏡筒４２は、両端が開口している円筒状の筒状部材であり、入射端面側に開口部１４、出射端面側に開口部１６がそれぞれ形成されている。また、鏡筒４２の内部は、開口部１４から出射端面側に向かって順に、第１の大径部空間４４、第１の大径部空間４４に比べ内径が小径となる小径部空間４６、小径部空間４６よりもさらに内径が小径となる絞り部空間４８、小径部空間４６より内径がやや大径となる中径部空間５０、第１の大径部空間４４と内径が同径となる第２の大径部空間５２が形成されている。
【００３８】
第１の大径部空間４４には第１のレンズ３４が嵌合されており、第１の大径部空間４４の外周面となる鏡筒４２の内周面と第１のレンズ３４の外周面はリング状のシーリング部材５１により気密に密着している。シーリング部材５１はゴムや樹脂材等からなる弾性部材から形成されている。この実施の形態では、ゴム材を採用している。また、第１の大径部空間４４と小径部空間４６の境界部の外周縁には全周に亘って段部５４が形成されている。そして、段部５４に第１のレンズ３４の側面が当接する形で係止され、位置決めがされている。
【００３９】
第２の大径部空間５２の出射端面近傍には第２のレンズ３６が嵌合されており、第２の大径部空間５２の外周面となる鏡筒４２の内周面と第２のレンズ３６の外周面はリング状のシーリング部材５３により気密に密着している。このシーリング部材５３は、シーリング部材５１と同様な構成、材料で形成されている。２つのシーリング部材５１、５３は、共に鏡筒４２の内周面に形成されたリング状の凹部に嵌合している。第１のレンズ３４と第２のレンズ３６がシーリング部材５１、５３により鏡筒４２の内部に取り付けられているため、該第１のレンズ３４と第２のレンズ３６は鏡筒４２の内部に気密な空間部５５を形成することができる。
【００４０】
また、絞り部空間４８は、小径部空間４６と中径部空間５０を繋ぐ空間であり、鏡筒４２の筒状部から中心軸線Ｌの方向に向かって突出することにより形成されているドーナツ状の壁部５６によって囲まれている。壁部５６の内周面５６ａには、図３において壁部５６の上方に設けられた排出手段２２を構成する吸引ノズル５８に繋がるように、外径方向に向かって孔部６０が形成されている。また、壁部５６の内周面５６ａから図３において下方に向かって孔部６０と同径の孔部６２が形成されている。孔部６２は、鏡筒４２の筒状部の内周面近傍に達した後、中径部空間５０に形成されている空隙部６６ｂに繋がるように出射端側に向かって長手方向に曲がるように形成されている。
【００４１】
中径部空間５０の断面は、図４（ａ）に示すように、鏡筒４２の内周面のラジアル方向に向かって等間隔で３つの内方突出部６３ａ、６３ｂ、６３ｃが鏡筒４２の中心軸線Ｌの方向に向かって内方に突出している。そして、内方突出部６３ａ、６３ｂ、６３ｃの内方には空間内レンズ６４が嵌合され、その空間内レンズ６４は内方突出部６３ａ、６３ｂ、６３ｃによって支持されている。さらに、空間内レンズ６４は、壁部５６の出射端面側の側面５６ｂに当接する形で係止されている。
【００４２】
そして、第１のレンズ３４と空間内レンズ６４の間には、空間内レンズ６４によって前後に区分された一方の小空間部となる第１の小空間部６５が形成されている。また、中径部空間５０の位置には、鏡筒４２の内周面５０ａと空間内レンズ６４の外周面６４ａと内方突出部６３ａ、６３ｂ、６３ｃとで囲まれる３つの空隙部６６ａ、６６ｂ、６６ｃが形成されている。すなわち図４（ａ）で、内方突出部６３ａと６３ｂとの間の部分が空隙部６６ａを、内方突出部６３ｂと６３ｃとの間の部分が空隙部６６ｂを、内方突出部６３ｃと６３ａとの間の部分が空隙部６６ｃをそれぞれ形成している。そして、空隙部６６ｂには壁部５６の内部に形成されている孔部６２が繋がっている。なお、孔部６２の孔口は、図４（ａ）に示すように、空隙部６６ｂの中央に配置されている。
【００４３】
また、第２のレンズ３６と空間内レンズ６４の間には円輪状の部材である中間環６７が狭持されるように配置されている。中間環６７を配置した部分のレンズ鏡筒４０の断面を図４（ｂ）に示す。中間環６７の一部は三日月状に切り欠きされており、その切欠部分は、第２の空隙部となる連通空隙部６８を形成している。
【００４４】
また、中間環６７の中央には環内部６９となる挿通穴が形成されており、該環内部６９から外径方向に向かって連通空隙部６８と環内部６９とを繋げる貫通孔７１が設けられている。環内部６９を囲む外周面７０は、入射端面側では空間内レンズ６４と、出射端面側では第２のレンズ３６とそれぞれ当接している。環内部６９は、空間内レンズ６４により前後に区分される他方の小空間部となる第２の小空間部７２を形成している。また、上述したように、空間部５５は、空間内レンズ６４および中間環６７が配置されることで、第１の小空間部６５と第２の小空間部７２に区分される。また、空隙部６６ａ、６６ｂ、６６ｃと連通空隙部６８との間には、両者を繋ぐ連通孔７４が設けられている。
【００４５】
排出手段２２は、円柱状の吸引ノズル５８が円柱状の孔部６０に挿入されるかたちで、図３において壁部５６の上方に設けられている。排出手段２２に隣接するように段部７６が鏡筒４２の外周部に形成されており、その段部７６には栓体となるシールボール７８が配置されている。
【００４６】
第１の小空間部６５は、孔部６０と連通しているので、排出手段２２と繋がっている。また、中間環６７が第２のレンズ３６と空間内レンズ６４に狭持されることにより形成される第２の小空間部７２は、貫通孔７１、連通空隙部６８、連通孔７４、空隙部６６ａ、６６ｂ、６６ｃ、孔部６２、小空間部６５および孔部６０を介して排出手段２２に繋がっている。よって、レンズ鏡筒４０の内部に形成された、第１の小空間部６５と第２の小空間部７２はそれぞれ排出手段２２に繋がっていることとなる。
【００４７】
また、排出手段２２の吸引ノズル５８は、第１の実施の形態と同様に真空ポンプなどの吸気装置（図示省略）に接続され、鏡筒４２の内部の第１の小空間部６５と第２の小空間部７２の空気を抜き取るために設けられている。排出手段２２と吸気装置とは、吸気装置に接続されているチューブ等を吸引ノズル５８に取り付けることで接続される。そして、シールボール７８が段部７６に配置された状態で、吸気装置により吸引ノズル５８から第１の小空間部６５、第２の小空間部７２の空気を抜き取ることで、空間部５５を負圧の状態とすることができる。空間部５５を負圧の状態とした後、吸引ノズル５８を抜き取ると、空間部５５の負圧によりシールボール７８が孔部６０の入口に移動する。空間部５５が負圧であるため、シールボール７８は固く孔部６０の入口を塞ぎ動くことはない。この結果、空間部５５を負圧の状態で封止することができる。
【００４８】
以上のように構成されたレンズ鏡筒４０では、空間部５５はシーリング部材５１、５３によって密閉された状態となっているので、吸気装置で排出手段２２から空間部５５の空気を抜き取り、シールボール７８で孔部６０を塞ぐことで空間部５５を負圧の状態で封止できることとなる。空間部５５内が真空等の負圧の状態となるので、レンズ鏡筒４０の使用環境温度が低下しても、空間部５５に含まれる水分が飽和状態とならず、レンズ鏡筒４０の内部に結露が発生することを防止することができる。
【００４９】
また、レンズ鏡筒４０では、第２のレンズ３６と空間内レンズ６４の間に中間環６７が狭持されるように配置されているため、第２のレンズ３６と空間内レンズ６４の位置決めが容易となる。しかも両者を接触させたくない場合には、両者を接触させることなく所定の間隔を確保した状態で配置させることが可能となる。また、レンズ鏡筒４０を組み立てる際、鏡筒４２の内部に出射端面側から空間内レンズ６４、中間環６７、第２のレンズ３６を順に嵌め込み、入射端面側に向かって押し込めば、壁部５６、中間環６７の存在により自動的にそれぞれが互いに当接し合い、位置決めがなされることとなる。
【００５０】
また、レンズ鏡筒４０では、中径部空間５０に突出するように内方突出部６３ａ、６３ｂ、６３ｃを形成し、空間内レンズ６４を支持することで、空間内レンズ６４の外周面６４ａの近傍に形成された３つの空隙部６６ａ、６６ｂ、６６ｃにより、空間部５５が空間内レンズ６４で仕切られていても、空隙部６６ａ、６６ｂ、６６ｃを通じて排出手段２２が存在しない第２の小空間部７２の空気を排出手段２２に導くことができる。
【００５１】
また、レンズ鏡筒４０では、レンズ面をそれぞれ両側に有する第１の小空間部６５と第２の小空間部７２は、排出手段２２にそれぞれ繋がっている。したがって、排出手段２２から空気を抜き取れば、第１の小空間部６５、第２の小空間部７２の空気も抜かれることとなり第１の小空間部６５、第２の小空間部７２の気圧を負圧の状態にできる。よって、第１の小空間部６５を形成する２つのレンズ面や、第２の小空間部７２を形成する２つのレンズ面に結露が付着することを防止できる。
【００５２】
また、レンズ鏡筒４０では、空間部５５の気圧を負圧とした後、排出手段２２である吸引ノズル５８を抜き取ると、空間部５５の負圧によりシールボール７８が移動し孔部６０を塞ぐ。よって、吸引ノズル５８を抜き取ればシールボール７８が自動的に孔部６０を塞ぎ、空間部５５を負圧の状態で封止することができるので、空間部５５を封止する作業が容易となる。
【００５３】
また、レンズ鏡筒４０においても第１の実施の形態と同様、空間部５５の空気が排出されると、空間部５５の気圧は負圧となるため、第１のレンズ３４は外気圧により出射端面側の方向に付勢され、段部５４に、より強固に係止される。また、第２のレンズ３６も入射端面側の方向に付勢されることで、中間環６７、空間内レンズ６４が入射端面側の方向に付勢される。この結果、空間内レンズ６４が壁部５６の側面５６ｂに、より強固に係止されることとなる。なお、空間部５５の気圧を負圧にすることにより第１のレンズ３４を段部５４に対して係止し、また、第２のレンズ３６を入射端面側の方向に付勢するため、第１のレンズ３４と第２のレンズ３６のレンズ鏡筒４０への固定を接着剤によらなくても行うこともできる。そのため、第１のレンズ３４と第２のレンズ３６のレンズ鏡筒４０への組み立て工数を削減することができる。また、シールボール７８を孔部６０の入口から移動または取り外せば、空間部５５の気圧は大気圧となり第１のレンズ３４、第２のレンズ３６及び空間内レンズ５６を取り外す作業が容易となる。
【００５４】
以上、本発明の各実施の形態について説明したが、本発明はこれ以外にも種々変形可能となっている。以下、それについて述べる。
【００５５】
上述の各実施の形態では、排出手段２２として第１の実施の形態では角柱状の筒状部材２４を、第２の実施の形態では円柱状の吸引ノズル５８を設けたが、排出手段２２は、これらのものに限られることなく、例えば、鏡筒１２、４２に直接孔を設けて吸引装置に接続されたチューブ等を直接それらの孔に接続し抜気しても良い。
【００５６】
また、上述の第１の実施の形態では、筒状部材２４を角柱状の部材としたが、筒状部材２４は角柱状の部材に限られるものではなく、例えば断面形状が円形や楕円形の部材としても良い。また、上述の第１の実施の形態では、栓体をバルブネジ３２としたが、栓体はネジ状のものに限る必要はなく、例えばコルクなどの栓を孔部２６に嵌め込む形で栓を構成しても良い。
【００５７】
また、上述の第２の実施の形態では、排出手段２２を図３において上方に設けたが、上方に設けることなく、例えば空隙部６６ｂの下方に設けるようにしても良い。また、シールボール７８の移動をスムーズ化させるために、シールボール７８が置かれる段部７６の面を孔部６０に近づくほど絞り部空間４８に近づく傾斜面としても良い。
【００５８】
また、上述の第２の実施の形態では、第１のレンズ３４と空間内レンズ６４の間に壁部５６を設け、側面５６ｂに当接させることで空間内レンズ６４を係止させているが、壁部５６を設けることなく、第１のレンズ３４と空間内レンズ６４の間に中間環を狭持させることで空間内レンズ６４を係止させると共に、空間内レンズ６４の位置決めをしても良い。
【００５９】
また、上述の第２の実施の形態では、鏡筒４２の内周面に形成された内方突出部６３ａ、６３ｂ、６３ｃは３つとなっているが、内方突出部は３つに限られるものでなく２つ又は４つ以上としても良い。また、レンズ鏡筒４０の空間部５５を負圧とする作業は、レンズ鏡筒４０を製造する段階で行うのが好ましいが、光学機器に組み込まれた後や最終ユーザに渡った後に行うようにしても良い。
【００６０】
また、上述の第２の実施の形態では、中間環６７は図４（ｂ）において下方のみが切り欠きされて、その下方の切欠部分にのみ連通空隙部６８を形成しているが、下方のみを切り欠くことなく複数箇所切り欠くようにしてもよい。例えば上方も切り欠いて上方の切欠部分にも連通空隙部６８を形成するようにしても良い。そうすることで、排出手段２２へ第２の小空間部７２の空気を排出しやすくなる。
【００６１】
また、上述の第２の実施の形態では、空間内レンズ６４は空間部５５に１つのみ設けられているが、空間内レンズ６４を１つに限ることなく空間部５５に複数個設けても良い。その場合、２つの空間内レンズ６４の間には中間環６７を配置させるのが好ましい。
【００６２】
上述の各実施の形態では、各レンズを凹凸レンズや両凸レンズや平凸レンズとしたが、フレネルレンズ等他の種類のレンズとしても良い。また、光学素子としてレンズを示したが、光学素子としては、レンズ以外にプリズム、フィルタ、回折格子、波長板、偏光素子、ライトガイド、反射鏡等が存在し、それらの光学素子をレンズの代わりに採用しても良い。
【００６３】
また、上述の各実施の形態では、シーリングとして、接着剤や弾性材３８やリング状のシーリング部材５１、５３のいずれかを採用したが、これらのものを複数組み合わせて用いたり、他のシーリング材を使用するようにしても良い。また、このレンズ鏡筒１０、４０が組み込まれる光学機器としては、カメラ、双眼鏡、顕微鏡、内視鏡、監視装置（監視カメラ）等が存在し、光学機器以外としては、目の部分にレンズ鏡筒１０、４０が組み込まれたロボット、画像入力部分にレンズ鏡筒１０、４０が採用された検査装置等が存在する。
【産業上の利用可能性】
【００６４】
本発明のレンズ鏡筒は、光学機器等レンズを使用する機器に使用される。特に、顕微鏡や内視鏡など高精度が要求される光学機器において好適となる。
【図面の簡単な説明】
【００６５】
【図１】本発明の第１の実施の形態に係るレンズ鏡筒の側断面図である。
【図２】本発明の第１の実施の形態に係るレンズ鏡筒において、レンズを鏡筒に螺合する形で取り付けた場合のレンズ付近の側断面図である。
【図３】本発明の第２の実施の形態に係るレンズ鏡筒の側断面図である。
【図４】本発明の第２の実施の形態に係るレンズ鏡筒の断面を示す図であり、（ａ）は図３のＡ−Ａ線で切断した断面図であり、（ｂ）は図３のＢ−Ｂ線で切断した断面図である。
【符号の説明】
【００６６】
１０…レンズ鏡筒
１２…鏡筒
２２…排出手段
３０…空間部
３２…バルブネジ
３４…第１のレンズ
３６…第２のレンズ
３７ａ、３７ｂ…ネジ部
３８…弾性材
４０…レンズ鏡筒
４２…鏡筒
５５…空間部
５８…吸引ノズル
６０、６２…孔部
６４…空間内レンズ
６５…第１の小空間部
６６ａ、６６ｂ、６６ｃ…空隙部
６７…中間環
６８…連通空隙部（第２の空隙部）
６９…環内部
７１…貫通孔
７２…第２の小空間部
７８…シールボール
【図１】
2005257991.tif 000003
【図２】
2005257991.tif 000004
【図３】
2005257991.tif 000005
【図４】
2005257991.tif 000006